(57)【要約】【課題】  操作スイッチ及び入出力端子を全て装置本体の側面部（正面部並びに背面部以外）に配置した携帯型音声記録再生装置を提供することにある。【解決手段】  半導体メモリからなる記録媒体８にアナログ音声をデジタル化して音声データとして記録し、またはこの記録媒体８に記録されたデジタル化された音声データをアナログ化して再生する携帯型音声記録再生装置において、装置本体２００の正面部２００ａに、記録媒体８に記録された音声データに対する音声情報、例えばファイル番号や時間情報等を表示するＬＣＤ表示部３と、この装置本体２００の正面部２００ａと略直交する側面部２００ｃ、２００ｄ、２００ｅ、２００ｆに、音声の動作指示を司る操作部１とを具備することを特徴とする。【選択図】  図１
2005091552.tif 000002
【特許請求の範囲】
【請求項１】
記録媒体に音声をデジタル化して音声データとして記録し、または前記記録媒体に記録された前記音声データをアナログ化して再生する携帯型音声記録再生装置において、
前記装置本体の正面部に、前記記録媒体に記録された前記音声データに対する音声情報を表示する表示部と、
前記装置本体の正面部と略直交する側面部に、前記音声の動作指示を司る操作部とを具備することを特徴とする携帯型音声録音再生装置。
【請求項２】
前記記憶媒体は、半導体メモリであることを特徴とする請求項１記載の携帯型音声録音再生装置。
【請求項３】
前記記憶媒体は、着脱可能なメモリカードであることを特徴とする請求項１記載の携帯型音声記録再生装置。
【請求項４】
前記音声情報は、前記音声データに対応したファイル番号であることを特徴とする請求項１記載の携帯型音声記録再生装置。
【請求項５】
前記装置本体は、カード状に形成されていることを特徴とする請求項１記載の携帯型音声記録再生装置。
【発明の詳細な説明】
【技術分野】
【０００１】
この発明は、音声記録再生装置に関し、特に、記録媒体に音声をデジタル化して記録し、また記録媒体に記録された音声をアナログ化して再生する携帯型音声記録再生装置に関する。
【背景技術】
【０００２】
近年、音声をデジタルデータに変換し、書き換え可能な記録媒体に記録し、この記録媒体に記録された音声をアナログ化して再生する携帯型音声記録再生装置が実用化されている。しかしながら、このような携帯型音声記録再生装置は、この装置本体の正面部並びに背面部の面積を小さくして、手で持ちやすい形状（縦長の形状、ここではバー形状と称す）となっており、使用頻度の高い操作スイッチやスピーカについては装置本体の正面部に配置されていた（例えば、特許文献１）。
【特許文献１】特開平１０−１１１９１７号公報
【発明の開示】
【発明が解決しようとする課題】
【０００３】
上記した特許文献１の技術は、手に持ちやすいバー形状としたことで、手帳などの間に挟み込んで持ち歩くことはできないといった問題があった。
【０００４】
また、装置本体の正面部に使用頻度の高い操作スイッチやスピーカを配置していたことで、例えば、装置本体の上に物を置いたり何かで挟み込んだりした場合、勝手にスイッチが入り誤動作してしまうという問題があった。
【０００５】
そこで、本発明は上記の問題を解決するために成されたものであり、操作スイッチ及び入出力端子を全て装置本体の側面部（正面部並びに背面部以外）に配置した携帯型音声記録再生装置を提供することにある。
【課題を解決するための手段】
【０００６】
上記した課題を解決するために、この発明は、記録媒体に音声をデジタル化して音声データとして記録し、または前記記録媒体に記録された前記音声データをアナログ化して再生する携帯型音声記録再生装置において、前記装置本体の正面部に、前記記録媒体に記録された前記音声データに対する音声情報を表示する表示部と、前記装置本体の正面部と略直交する側面部に、前記音声の動作指示を司る操作部とを具備することを特徴とする。
【発明の効果】
【０００７】
この発明によれば、装置本体の構造をカードタイプとしたことで、手帳などに挟んで持ち運ぶことができる。また、装置本体の側面部に全ての操作スイッチを配置したことで、手帳などに挟んで録音している状態で、手帳の上から押しても操作スイッチが勝手に押されて誤動作することはないため、いろいろな使い方をすることができる。
【発明を実施するための最良の形態】
【０００８】
以下、この発明の実施例について、図面を参照しながら詳細に説明する。
【０００９】
図１は、この発明の携帯型音声記録再生装置の実施例について説明するための装置本体の正面部を示した外観図である。図２は、この装置本体の正面部と相対する面である背面部を示した外観図である。図３は、装置本体の正面部および背面部と略直交する４つの側
面部としての上面部と下面部を示した外観図であり、図４は右側面部と左側面部を示した外観図である。
【００１０】
図１乃至図４に示すように、携帯型音声記録再生装置の外装体となる装置本体２００には、正面部２００ａと、その正面部２００ａに相対する裏面側の背面部２００ｂと、上記正面部２００ａおよび背面部２００ｂと略直交する４つの側面部としての右側面部２００ｃと左側面部２００ｄと上面部２００ｅと下面部２００ｆとが形成されており、上記各面には後述するように操作スイッチ、内部入力端子、外部入力端子、音量のＵＰ／ＤＯＷＮスイッチ等の各操作、機能部材がそれぞれ適切な位置に配設されている。
【００１１】
上記装置本体２００の正面部２００ａには、図１に示すように液晶表示部であるＬＣＤ表示部３が設けられ、このＬＣＤ表示部３には一連の音声記録データであるファイルの順次の番号であるファイル番号、通常操作状態、録音内容、時間等が表示される。また、このＬＣＤ表示部３はＬＣＤ表示部３を保護する目的のカバー３ａによって覆われており、正面部２００ａにはこのＬＣＤ表示部３とカバー３ａのみが設けられている。
【００１２】
上記装置本体２００の背面部２００ｂには、図２に示すように特に何も設けられていないが、例えばバッテリの入力切替を行うバッテリスイッチを設けても良い。その場合、バッテリスイッチはスライド形式でＯＮ／ＯＦＦを切替えるタイプの方が、押し釦タイプのものより手帳等に挟んで持ち運ぶときなどは勝手に切替えできないためより良い。
【００１３】
上記装置本体２００の右側面部２００ｃと左側面部２００ｄには、図３に示すように各種操作釦、機能部材が配置されている。右側面部２００ｃには、録音スイッチ１１、再生・サーチスイッチ１２、停止スイッチ１３、メニュースイッチ１４が配設され、左側面部２００ｄには、音量のＵＰ／ＤＯＷＮスイッチ１５、消去スイッチ１６、ホールドスイッチ１７、パソコン接続端子２２が配設されている。
【００１４】
右側面部２００ｃの録音スイッチ１１は、録音する際にスイッチをＯＮする。図中、上方（Ａ方向）へスライドさせて録音スイッチをＯＮさせる。再生・サーチスイッチ１２は、複合ＪＯＧスイッチであり、このスイッチを押すと録音した内容を再生し、再生中にスイッチを上方（Ａ方向）に動かすと早送りとなり、下方（Ｂ方向）に動かすと早戻しとなる。また、停止中にスイッチを上下（Ａ方向、Ｂ方向）に動かすと再生したいファイルを探すことができる。停止スイッチ１３は、操作を停止したいときに押すと停止する。また、電源のＯＮ／ＯＦＦも兼ねている。メニュースイッチ１４は、各種モード（再生モード、録画モード、停止モード等）の設定をするときに操作する。
【００１５】
左側面部２００ｄの音量スイッチ１５は、音量のＵＰ／ＤＯＷＮスイッチであり、イヤホン等を介して聞くときに音量操作を行う。消去スイッチ１６は、録音したファイルを消去したいときに操作する。例えば、ＬＣＤ表示部３に録音したファイル番号を表示してから消去スイッチを押すことで消去できる。ホールドスイッチ１７は、現状の状態を保持したいときにＯＮする。パソコン接続端子２２は、専用のケーブルを接続して、録音した内容のファイルをパソコン側に出力するための端子である。
【００１６】
上記装置本体２００の上面部２００ｅには、図４に示すように、外部出力端子１８、外部入力端子１９、内蔵マイク５１が配設されている。外部出力端子１８は、通常ヘッドホンを接続するための端子であり、録音した音声を出力する。外部入力端子１９は、外部マイクやＴＶ・ラジオ等を接続して録音するために使用する。内蔵マイク５１は、周辺の音を録音するために使用する。
【００１７】
上記装置本体２００の下面部２００ｆには、２箇所ねじ止めされている以外に特に操作
スイッチ等は配設されていない。
【００１８】
このように、正面部２００ａにはＬＣＤ表示部３を形成し、背面部２００ｂには何も設けない形状とすることで手帳等に挟んでもスイッチが押される心配がない。また、右側面部２００ｃには通常頻繁に操作するスイッチ群（録音スイッチ１１、再生・サーチスイッチ１２、停止スイッチ１３、メニュースイッチ１４）を設けることで、操作者の親指のみで操作ができるようになり操作性が向上を図ることができる。
【００１９】
なお、装置本体２００の形状において、図１乃至図４に示すように、正面部２００ａと正面部２００ａに相対する背面部２００ｂは略同一形状となっており長方形に形成されている。また、正面部２００ａおよび背面部２００ｂと略直交する４つの側面部としての右側面部２００ｃ、左側面部２００ｄ、上面部２００ｅ、下面部２００ｆは正面部２００ａと背面部２００ｂの間に形成され、装置本体２００としてはカード状に形成されている。このような形状にすることで、手帳や資料等に挟んで持ち運ぶことができるとともに、ポケット等に入れても邪魔にならないといったメリットがある。
【００２０】
図５は、この発明の携帯型音声記録再生装置の実施例について説明するためのブロック構成図であり、ここでは、フラッシュメモリを記録媒体とする記録再生装置を例にして説明する。
【００２１】
図５に示すように、この携帯型音声記録再生装置は、操作部１、モード遷移制御部２、ＬＣＤ表示部３、表示制御部４、音声入力部５、ＤＳＰ（digital signal processor）６、ＤＳＰ制御部７、メモリ８、メモリ制御部と、音声・音楽出力部１０、電源回路部２０、バッテリー２１、パソコン接続端子２２とを具備した構成となっている。
【００２２】
電源回路２０は、バッテリ２１からの電源電圧により所定の電圧値の電源電圧を作成して、各回路に供給する。
操作部１は、録音スイッチ１１と、再生・サーチスイッチ１２と、停止スイッチ１３と、メニュースイッチ１４と、音量スイッチ１５と、消去スイッチ１６、ホールドスイッチ１７とを含む各種操作スイッチとを有している。この操作部１は上記各種操作スイッチがユーザによってそれぞれオン操作されることにより、各オン信号をモード遷移制御部２に供給する。
【００２３】
モード遷移制御部２は、録音スイッチ１１と、再生・サーチスイッチ１２と、停止スイッチ１３と、メニュースイッチ１４と、音量スイッチ１５と、消去スイッチ１６、ホールドスイッチ１７の各オン信号を検出することにより、それぞれ再生モード、録音モード、停止モード、およびファイルサーチモード等の各モードへ移行する事を伝達する制御信号を、表示制御部４、ＤＳＰ制御部７、メモリ制御部９に出力する。
表示制御部４は、モード遷移制御部２の制御信号に基づいてＬＣＤ表示部３に現在のモード等の画面表示を行なわせたり、現在選択中のファイル番号やそのファイルの時間情報を表示する。
【００２４】
音声入力部５は、内蔵マイク５１、フィルタ５２及びアナログ／デジタル変換回路（以下、Ａ／Ｄ変換回路と呼ぶ）５３から構成されている。内蔵マイク５１は、音声を電気信号の音声信号に変換し、フィルタ５２に供給する。フィルタ５２は、内蔵マイク５１からのアナログ信号より低音域や高音域の不要成分を除去し、必要な帯域の信号をＡ／Ｄ変換回路５３に供給する。Ａ／Ｄ変換回路５３は、フィルタ５２からのアナログ音声信号をデジタル音声信号に変換し、ＤＳＰ６に供給する。
ＤＳＰ制御部７は、モード遷移制御部２の制御信号に基づいてＤＳＰ６に再生指示、停止指示等の指示を行う。ＤＳＰ６は、ＤＳＰ制御部７からの指示が記録指示の場合に、音声
入力部５からのデジタル音声信号を圧縮符号化して音声データとしてメモリ８に供給する。メモリ８は、例えばフラッシュメモリのような不揮発性の半導体メモリとなっている。また、着脱可能なメモリカードタイプのものであってもよい。
【００２５】
メモリ制御部９は、モード遷移制御部２の制御信号に基づいてメモリ８に再生指示、記録指示、停止指示等の指示を行い、メモリ８にＤＳＰ６からの音声データの書き込みを行わせたり、メモリ８に記録した音声データや音楽データの読出しを行わせたりする。
【００２６】
メモリ８から読み出された音声データや音楽データは、ＤＳＰ６に供給される。ＤＳＰ６はＤＳＰ制御部７から再生指示が行われた場合、メモリ８からの音声データや音楽データに対して伸長処理を行うことによりデジタル音声信号を作成して、音声・音楽出力部１０に供給する。
【００２７】
音声・音楽出力部１０は、デジタル／アナログ変換回路（以下、Ｄ／Ａ変換回路と呼ぶ）１０１、フィルタ１０２およびヘッドホン（スピーカ）１０３から構成されている。Ｄ／Ａ変換回路１０１は、ＤＳＰ６からのデジタル音声信号をアナログ音声信号に変換し、フィルタ１０２に供給する。フィルタ１０２はＤ／Ａ変換回路１０１からのアナログ信号から低音域や高音域の不要成分を除去し、必要な帯域の音声信号をヘッドホン（スピーカ）１０３から音声出力させる。
【００２８】
パソコン接続端子２２は、メモリ制御部９にドライバ２３を介して接続され、メモリ８に記録された音声データをパソコン等の外部機器に出力させる。
【００２９】
以上説明したように、スイッチ等が装置本体の前面部に配設せず、側面部に配設しても従来のバー形状と同様の機能を有することができ、操作がし易くかつ、右側面部のスイッチについては操作者の親指のみで操作ができる構造になっている。また、装置本体を手帳に挟むことができ、持ち運びに便利であるとともに、手帳の上から触ったとしても操作スイッチが本体前面部にないので誤動作することもない。
【００３０】
なお、本発明は、上記実施形態に限定されるものではなく、実施段階では、その要旨を逸脱しない範囲で種々に変形することが可能である。
【図面の簡単な説明】
【００３１】
【図１】この発明の実施例について説明するための携帯型音声録音再生装置の正面部を示した外観図。
【図２】この装置本体の正面部と相対する面である背面部を示した外観図。
【図３】この装置本体の正面部および背面部と略直交する４つの側面部のうち上面部と下面部を示した外観図。
【図４】この装置本体の正面部および背面部と略直交する４つの側面部のうち右側面部と左側面部を示した外観図。
【図５】この発明の携帯型音声記録再生装置の実施例について説明するためのブロック構成図。
【符号の説明】
【００３２】
１  操作部
２  モード遷移制御部
３  ＬＣＤ表示部
４  表示制御部
５  音声入力部
６  ＤＳＰ
７  ＤＳＰ制御部
８  メモリ
９  メモリ制御部
１０  音声・音楽出力部
１１  録音スイッチ
１２  再生・サーチスイッチ
１３  停止スイッチ
１４  メニュースイッチ
１５  音量スイッチ
１６  消去スイッチ
１７  ホールドスイッチ
２０  電源回路
２１  バッテリ
２２  パソコン接続端子
２３  ドライバ
５１  内蔵マイク
５２  フィルタ
５３  Ａ／Ｄ変換回路
１０１  Ｄ／Ａ変換回路
１０２  フィルタ
１０３  ヘッドホン
【図１】
2005091552.tif 000003
【図２】
2005091552.tif 000004
【図３】
2005091552.tif 000005
【図４】
2005091552.tif 000006
【図５】
2005091552.tif 000007